(57)【要約】      （修正有）【課題】視聴者測定メータのための電力管理方法、装置及び製品を提供する。【解決手段】メディア提示デバイスのアクティブ化状態を判定するステップと、アクティブ化状態がアクティブ状態の場合に、メディア提示デバイスを監視するためのものである視聴者測定メータのアクティブ化状態を、メディア提示デバイスのアクティブ化状態に基づいて制御するステップとを含む。他の方法は、時間情報を含む、視聴者測定メータによって監視されるべきメディア提示デバイスのアクティブ化状態を表す提示デバイス状態データを取得するステップと、視聴者測定データから判定された提示デバイス状態データ及び停電情報に基づいて、視聴者測定メータによって報告される視聴者測定データを故障とするかどうかを判定するステップとを含む。【選択図】図１
2012253759.tif 000002
【特許請求の範囲】
【請求項１】
メディア提示デバイスのアクティブ化状態を判定するステップと、
前記アクティブ化状態がアクティブ状態の場合に前記メディア提示デバイスを監視するためのものである視聴者測定メータのアクティブ化を、前記メディア提示デバイスの前記アクティブ化状態に基づいて制御するステップとを含む方法。
【請求項２】
前記メディア提示デバイスの前記アクティブ化を判定するステップが、
前記メディア提示デバイスの電力消費を測定するステップと、
前記測定された電力消費が第１閾値よりも大きい場合、前記アクティブ化状態が前記アクティブ状態であると判定するステップと、
前記測定された電力消費が、前記第１閾値又は第２閾値のうちの少なくとも１つよりも小さい場合、前記アクティブ化状態が非アクティブ状態であると判定するステップとを含む請求項１に記載の方法。
【請求項３】
前記メディア提示デバイスの前記アクティブ化状態を判定するステップが、
前記メディア提示デバイスの電力消費を測定するステップと、
前記測定された電力消費が正の傾斜変化を示す場合、前記アクティブ化状態が前記アクティブ状態であると判定するステップと、
前記測定された電気消費が負の傾斜変化を示す場合、前記アクティブ化状態が非アクティブ状態であると判定するステップとを含む請求項１に記載の方法。
【請求項４】
前記メディア提示デバイスの前記アクティブ化状態を判定するステップが、
前記メディア提示デバイスのオーディオ出力を監視するステップと、
前記監視されたオーディオ出力でオーディオ信号が検出される場合、前記アクティブ化状態が前記アクティブ状態であると判定するステップと、
前記監視されたオーディオ出力でオーディオ信号が検出されない場合、前記アクティブ化状態が非アクティブ状態であると判定するステップとを含む請求項１に記載の方法。
【請求項５】
前記視聴者測定メータの前記アクティブ化を制御するステップが、
前記メディア提示デバイスが前記アクティブ状態であると判定することに応じて、前記視聴者測定メータにウェイクアップ信号を送信するステップと、
前記メディア提示デバイスが非アクティブ状態であると判定することに応じて、前記視聴者測定メータにスリープ信号を送信するステップとを含む請求項１に記載の方法。
【請求項６】
ワイヤードローカルエリアネットワーク（ＬＡＮ）、ワイヤレスＬＡＮ、ユニバーサルシリアルバス（ＵＳＢ）又は入力／出力（Ｉ／Ｏ）ピンのうちの少なくとも１つを介して通信される前記ウェイクアップ信号を受信することに応じて、前記視聴者測定メータを使用可能状態に設定するステップと、
前記ワイヤードＬＡＮ、前記ワイヤレスＬＡＮ、前記ＵＳＢ又は前記Ｉ／Ｏピンのうちの少なくとも１つを介して通信される前記スリープ信号を受信することに応じて、前記視聴者測定メータをスリープ状態に設定するステップとをさらに含む請求項５に記載の方法。
【請求項７】
前記視聴者測定メータの前記アクティブ化を制御するステップが、
前記メディア提示デバイスがある時間間隔にわたって非アクティブであったかどうかを判定するステップと、
前記メディア提示デバイスが前記時間間隔にわたり非アクティブであった場合、前記時間間隔に対応する視聴者測定データを取得するための前記視聴者測定メータの問い合わせが省略されるべきであることを示すステップと、
前記メディア提示デバイスが前記時間間隔にわたり非アクティブではなかった場合、前記視聴者測定データを取得するための前記視聴者測定メータの前記問い合わせが生じるべきであることを示すステップとをさらに含む請求項１に記載の方法。
【請求項８】
前記メディア提示デバイスがある時間間隔にわたり非アクティブではなかったと判定された場合、
前記視聴者測定メータにウェイクアップ信号を送信するステップと、
前記視聴者測定データを取得するために前記視聴者測定メータに問い合わせるステップと、
前記視聴者測定データが取得された後、前記視聴者測定メータにスリープ信号を送信するステップとをさらに含む請求項７に記載の方法。
【請求項９】
実行される場合に、機械に少なくとも、
メディア提示デバイスのアクティブ化状態を判定させ、
前記アクティブ化状態がアクティブ状態である場合に前記メディア提示デバイスを監視するためのものである視聴者測定メータのアクティブ化を、前記メディア提示デバイスの前記アクティブ化状態に基づいて制御させる機械可読命令を保存する有形の製品。
【請求項１０】
前記メディア提示デバイスの前記アクティブ化状態を判定するために、実行される場合に、前記機械可読命令が前記機械にさらに、
前記メディア提示デバイスの電力消費を測定させ、
前記測定された電力消費が第１閾値よりも大きい場合、前記アクティブ化状態が前記アクティブ状態であると判定させ、
前記測定された電力消費が、前記第１閾値又は第２閾値のうちの少なくとも１つよりも小さい場合、前記アクティブ化状態が非アクティブ状態であると判定させる請求項９に記載の有形の製品。
【請求項１１】
前記メディア提示デバイスのアクティブ化状態を判定するために、実行される場合に、前記機械可読命令が前記機械にさらに、
メディア提示デバイスのオーディオ出力を監視させ、
前記監視されたオーディオ出力でオーディオ信号が検出される場合、前記アクティブ化状態が前記アクティブ状態であると判定させ、
前記監視されたオーディオ出力でオーディオ信号が検出されない場合、前記アクティブ化状態が非アクティブ状態であると判定させる請求項９に記載の有形の製品
【請求項１２】
前記視聴者測定メータの前記アクティブ化を制御するために、実行される場合に、前記機械可読命令が前記機械にさらに、
前記メディア提示デバイスが前記アクティブ状態であると判定することに応じて、前記視聴者測定メータにウェイクアップ信号を送信させ、
前記メディア提示デバイスが非アクティブ状態であると判定することに応じて、前記視聴者測定メータにスリープ信号を送信させる請求項９に記載の有形の製品。
【請求項１３】
実行される場合に、前記機械可読命令が前記機械にさらに、
ワイヤードローカルエリアネットワーク（ＬＡＮ）、ワイヤレスＬＡＮ、ユニバーサルシリアルバス（ＵＳＢ）又は入力／出力（Ｉ／Ｏ）ピンのうちの少なくとも１つを介して通信される前記ウェイクアップ信号を受信することに応じて、前記視聴者測定メータを使用可能状態に設定させ、
前記ワイヤードＬＡＮ、前記ワイヤレスＬＡＮ、前記ＵＳＢ又は前記Ｉ／Ｏピンのうちの少なくとも１つを介して通信される前記スリープ信号を受信することに応じて、前記視聴者測定メータをスリープ状態に設定させる請求項１２に記載の有形の製品。
【請求項１４】
前記視聴者測定メータの前記アクティブ化を制御するために、実行される場合に、前記機械可読命令が前記機械にさらに、
前記メディア提示デバイスがある時間間隔にわたって非アクティブであったかどうかを判定させ、
前記メディア提示デバイスが前記時間間隔にわたり非アクティブであった場合、前記時間間隔に対応する視聴者測定データを取得するための前記視聴者測定メータの問い合わせが省略されるべきであることを示させ、
前記メディア提示デバイスが前記時間間隔にわたり非アクティブではなかった場合、前記視聴者測定データを取得するための前記視聴者測定メータの前記問い合わせが生じるべきであることを示させる請求項９に記載の有形の製品。
【請求項１５】
前記メディア提示デバイスが前記時間間隔にわたり非アクティブではなかったと判定された場合、実行される場合に、前記機械可読命令が前記機械にさらに、
前記視聴者測定メータにウェイクアップ信号を送信させ、
前記視聴者測定データを取得するために、前記視聴者測定メータに問い合わせ、
前記視聴者測定データが取得された後、前記視聴者測定メータにスリープ信号を送信させる請求項１４に記載の有形の製品。
【請求項１６】
メディア提示デバイスのアクティブ化状態を判定するための状態モニタと、
前記アクティブ化状態がアクティブ状態の場合に前記メディア提示デバイスを監視するためのものである視聴者測定メータのアクティブ化を、前記メディア提示デバイスの前記アクティブ化状態に基づいて制御するためのプロセッサとを備える装置。
【請求項１７】
前記メディア提示デバイスの前記アクティブ化状態を判定するために、前記状態モニタが、
前記メディア提示デバイスの電力消費を測定するため、
前記測定された電力消費が第１閾値よりも大きい場合、前記アクティブ化状態が前記アクティブ状態であると判定するため、及び、
前記測定された電力消費が、前記第１閾値又は第２閾値のうちの少なくとも１つよりも小さい場合、前記アクティブ化状態が非アクティブ状態であると判定するためのものである請求項１６に記載の装置。
【請求項１８】
前記メディア提示デバイスの前記アクティブ化状態を判定するために、前記状態モニタが、
前記メディア提示デバイスのオーディオ出力を監視するため、
前記監視されたオーディオ出力でオーディオ信号が検出される場合、前記アクティブ化状態が前記アクティブ状態であると判定するため、及び、
前記監視されたオーディオ出力でオーディオ信号が検出されない場合、前記アクティブ化状態が非アクティブ状態であると判定するためのものである請求項１６に記載の装置。
【請求項１９】
前記視聴者測定メータの前記アクティブ化を制御するために、前記プロセッサが、
前記メディア提示デバイスが前記アクティブ状態であると判定することに応じて、前記視聴者測定メータにウェイクアップ信号を送信するため、及び、
前記メディア提示デバイスが非アクティブ状態であると判定することに応じて、前記視聴者測定メータにスリープ信号を送信するためのものである請求項１６に記載の装置。
【請求項２０】
前記プロセッサが、さらに、
ワイヤードローカルエリアネットワーク（ＬＡＮ）、ワイヤレスＬＡＮ、ユニバーサルシリアルバス（ＵＳＢ）又は入力／出力（Ｉ／Ｏ）ピンのうちの少なくとも１つを介して通信される前記ウェイクアップ信号を受信することに応じて、前記視聴者測定メータを使用可能状態に設定するため、及び、
前記ワイヤードＬＡＮ、前記ワイヤレスＬＡＮ、前記ＵＳＢ又は前記Ｉ／Ｏピンのうちの少なくとも１つを介して通信される前記スリープ信号を受信することに応じて、前記視聴者測定メータをスリープ状態に設定するためのものである請求項１９に記載の装置。
【請求項２１】
前記視聴者測定メータの前記アクティブ化を制御するために、前記プロセッサが、
前記メディア提示デバイスがある時間間隔にわたって非アクティブであったかどうかを判定するため、
前記メディア提示デバイスが前記時間間隔にわたり非アクティブであった場合、前記時間間隔に対応する視聴者測定データを取得するための前記視聴者測定メータの問い合わせが省略されるべきであることを示すため、及び、
前記メディア提示デバイスが前記時間間隔にわたり非アクティブではなかった場合、前記視聴者測定データを取得するための前記視聴者測定メータの前記問い合わせが生じるべきであることを示すためのものである請求項１６に記載の装置。
【請求項２２】
前記プロセッサが、さらに、
前記視聴者測定メータにウェイクアップ信号を送信するため、
前記視聴者測定データを取得するために、前記視聴者測定メータに問い合わせ、及び、
前記視聴者測定データが取得された後、前記視聴者測定メータにスリープ信号を送信するためのものである請求項２１に記載の装置。
【請求項２３】
前記装置が前記視聴者測定メータと離れている請求項２１に記載の装置。
【請求項２４】
時間情報を含む、視聴者測定メータによって監視されるメディア提示デバイスのアクティブ化状態を表す提示デバイス状態データを取得するステップと、
前記視聴者測定メータによって報告される視聴者測定データを、前記提示デバイス状態データ、及び前記視聴者測定データから判定される機能停止情報に基づいて、故障とするかどうかを判定するステップとを含む方法。
【請求項２５】
前記視聴者測定データを故障とするかどうかを判定するステップが、
視聴者測定データが機能停止が生じたことを示す第１の時間間隔が、前記提示デバイス状態データが前記メディア提示デバイスがアクティブ状態であったことを示す第２の時間間隔と重複する場合、前記視聴者測定データは故障とされると判定するステップと、
前記第１時間間隔が前記第２時間間隔に重複しない場合、前記視聴者測定データは故障とされないと判定するステップとを含む請求項２４に記載の方法。
【請求項２６】
前記視聴者測定データを故障とするかどうかを判定するステップが、
前記視聴者測定データが任意の機能停止が生じたことを示す任意の時間間隔が、前記提示デバイス状態データが前記メディア提示デバイスがアクティブ状態であったことを示す任意の時間間隔と重複する場合、前記視聴者測定データは故障とされると判定するステップと、
前記視聴者測定データが任意の機能停止が生じたことを示す時間間隔が、前記提示デバイス状態データが前記メディア提示デバイスがアクティブ状態であったことを示すどの時間間隔にも重複しない場合、前記視聴者測定データは故障とされないと判定するステップとを備える請求項２４に記載の方法。
【請求項２７】
前記提示デバイス状態データが、前記視聴者測定データを判定した前記視聴者測定メータから離れたデバイスによって判定される請求項２４に記載の方法。
【請求項２８】
実行される場合に、機械に少なくとも、
時間情報を含む、視聴者測定メータによって監視されるメディア提示デバイスのアクティブ化状態を表す提示デバイス状態データを取得させ、
前記視聴者測定メータによって報告される視聴者測定データを、前記提示デバイス状態データ、及び前記視聴者測定データから判定される機能停止情報に基づいて、故障とするかどうかを判定させる機械可読命令を保存する有形の製品。
【請求項２９】
前記視聴者測定データを故障とするかどうかを判定するために、実行される場合に、前記機械可読命令が前記機械にさらに、
視聴者測定データが機能停止が生じたことを示す第１の時間間隔が、前記提示デバイス状態データが前記メディア提示デバイスがアクティブ状態であったことを示す第２の時間間隔と重複する場合、前記視聴者測定データは故障とされると判定させ、
前記第１時間間隔が前記第２時間間隔に重複しない場合、前記視聴者測定データは故障とされないと判定させる請求項２８に記載の有形の製品。
【請求項３０】
前記視聴者測定データを故障とするかどうかを判定するために、実行される場合に、前記機械可読命令が前記機械にさらに、
前記視聴者測定データが任意の機能停止が生じたことを示す任意の時間間隔が、前記提示デバイス状態データが前記メディア提示デバイスがアクティブ状態であったことを示す任意の時間間隔と重複する場合、前記視聴者測定データは故障とされると判定させ、
前記視聴者測定データが任意の機能停止が生じたことを示す時間間隔が、前記提示デバイス状態データが前記メディア提示デバイスがアクティブ状態であったことを示すどの時間間隔にも重複しない場合、前記視聴者測定データは故障とされないと判定させる請求項２８に記載の有形の製品。
【請求項３１】
前記提示デバイス状態データが、前記視聴者測定データを判定した前記視聴者測定メータから離れたデバイスによって判定される請求項２８に記載の有形の製品。
【請求項３２】
時間情報を含む、視聴者測定メータによって監視されるメディア提示デバイスのアクティブ化状態を表す提示デバイス状態データを取得するためのデータレシーバと、
前記視聴者測定メータによって報告される視聴者測定データを、前記提示デバイス状態データ、及び前記視聴者測定データから判定される機能停止情報に基づいて、故障とするかどうかを判定するためのプロセッサとを備える装置。
【請求項３３】
前記視聴者測定データを故障とするかどうかを判定するために、前記プロセッサが、
視聴者測定データが機能停止が生じたことを示す第１の時間間隔が、前記提示デバイス状態データが前記メディア提示デバイスがアクティブ状態であったことを示す第２の時間間隔と重複する場合、前記視聴者測定データは故障とされると判定するため、及び、
前記第１時間間隔が前記第２時間間隔に重複しない場合、前記視聴者測定データは故障とされないと判定するためのものである請求項３２に記載の装置。
【請求項３４】
前記視聴者測定データを故障とするかどうかを判定するために、前記プロセッサが、
前記視聴者測定データが任意の機能停止が生じたことを示す任意の時間間隔が、前記提示デバイス状態データが前記メディア提示デバイスがアクティブ状態であったことを示す任意の時間間隔と重複する場合、前記視聴者測定データは故障とされると判定するため、及び、
前記視聴者測定データが任意の機能停止が生じたことを示す時間間隔が、前記提示デバイス状態データが前記メディア提示デバイスがアクティブ状態であったことを示すどの時間間隔にも重複しない場合、前記視聴者測定データは故障とされないと判定するためのものである請求項３２に記載の装置。
【請求項３５】
前記提示デバイス状態データが、前記視聴者測定データを判定した前記視聴者測定メータから離れたデバイスによって判定される請求項３２に記載の装置。
【発明の詳細な説明】
【開示分野】
【０００１】
[0001]本開示は一般に視聴者測定に関し、より詳細には、視聴者測定メータのための電力管理に関する。
【背景】
【０００２】
[0002]従来の視聴者測定システムは、いつでもメディアコンテンツを表示することができる監視対象の提示デバイスの正確な監視を確実にするために、継続的に動作することができる視聴者測定メータを含む。このように、これらの従来のシステムのうちの１つにおける視聴者測定メータは、監視対象の関連のメディア提示デバイスが非アクティブの場合でも、継続的に電力を消費する場合がある。さらに、そのような従来のシステムでは、視聴者測定メータに、監視対象期間の任意の期間について電力喪失及び／又はその他の機能停止が生じる場合、視聴者測定メータによって与えられる測定データは、例えば丸一日などの全監視期間について、（例えば無効及び／又は放棄とみなされる等）故障とされる場合がある。
【図面の簡単な説明】
【０００３】
【図１】[0003]  本明細書で説明する視聴者測定メータのための電力管理を用いる視聴者測定システム例のブロック図である。
【０００４】
【図２】[0004]  図１の視聴者測定システム例を実装するために使用されることが可能な状態モニタ例のブロック図である。
【０００５】
【図３】[0005]  図１の視聴者測定システム例を実装するために使用されることが可能な第１視聴者測定メータ例のブロック図である。
【０００６】
【図４】[0006]  図１の視聴者測定システム例を実装するために使用されることが可能な第２視聴者測定メータ例のブロック図である。
【０００７】
【図５】[0007]  図１の視聴者測定システム例を実装するために使用されることが可能なデータ処理設備例のブロック図である。
【０００８】
【図６】[0008]  図２の状態モニタ例の中で電力制御処理を実施するために実行されることが可能な機械可読命令の例を描く流れ図である。
【０００９】
【図７】[0009]  図３の第１視聴者測定メータ例及び／又は図４の第２視聴者測定メータ例の中で電力制御処理を実施するために実行されることが可能な機械可読命令の例を描く流れ図である。
【００１０】
【図８】[0010]  図２の状態モニタ例の中で状態報告を実施するために実行されることが可能な機械可読命令の例を描く流れ図である。
【００１１】
【図９】[0011]  図４の第２視聴者測定メータ例の中でメータ問い合わせ処理を実施するために実行されることが可能な機械可読命令の例を描く流れ図である。
【００１２】
【図１０】[0012]  図４の第２視聴者測定メータ例の中でデータ報告を実施するために実行されることが可能な機械可読命令の例を描く流れ図である。
【００１３】
【図１１】[0013]  図５のデータ処理設備例の中で故障判定処理を実施するために実行されることが可能な機械可読命令の例を描く。
【００１４】
【図１２】[0014]  図１の視聴者測定システム例、図２の状態モニタ例、図３の第１視聴者測定メータ例、図４の第２視聴者測定メータ例、及び／又は図５のデータ処理設備例を実施するために、図６〜１０及び／又は１１の機械可読命令の例を実行することが可能な処理システム例のブロック図である。
【詳細な説明】
【００１５】
[0015]本明細書では、視聴者測定メータ（audience measurement meter）のための電力管理方法、装置及び製品が開示される。本明細書で開示する電力管理方法例は、メディア提示デバイス（media presentation device）のアクティブ化状態を判定するステップと、メディア提示デバイスのアクティブ化状態に基づいて、メディア提示デバイスを監視するためのものである視聴者測定メータのアクティブ化を制御するステップとを含む。いくつかの例では、メディア提示デバイスのアクティブ化状態は、メディア提示デバイスの電力消費を測定することに基づいて判定される。いくつかの例では、メディア提示デバイスのアクティブ化状態は、メディア提示デバイスの音声出力を監視することに基づいて判定される。いくつかの例では、視聴者測定メータのアクティブ化を制御するステップは、メディア提示デバイスがアクティブ状態であることを判定することに応じて、ウェイクアップ信号を視聴者測定メータに送信するステップと、メディア提示デバイスが非アクティブ状態であることを判定することに応じて、スリープ信号を視聴者測定メータに送信するステップとを含む。いくつかの例では、視聴者測定メータのアクティブ化を制御するステップは、メディア提示デバイスがある時間間隔にわたり非アクティブであったのかどうかを判定するステップと、メディア提示デバイスがある時間間隔にわたり非アクティブであった場合、その時間間隔に対応する、視聴者測定データを取得するための視聴者測定メータのウェイクアップ又は問い合わせは（例えば視聴者測定メータがスリープ状態にとどまることを許可するために）省かれてもよいことを示すステップとを含む。
【００１６】
[0016]本明細書で開示する他の電力管理方法例は、視聴者測定メータによって、監視対象のメディア提示デバイスのアクティブ化状態を表す提示デバイス状態データ（presentation device state data）を取得するステップを含む。この方法例はまた、提示デバイスの状態データ及び視聴者測定データ（audience measurement data）から判定された機能停止情報に基づいて、視聴者測定メータによって報告された視聴者測定データを故障とするかどうかを判定するステップを含む。いくつかの例では、視聴者測定データを故障とするかどうかを判定するステップは、視聴者測定データが機能停止が生じたことを示す第１の時間間隔が、提示デバイス状態データがメディア提示デバイスがアクティブ状態であったことを示す第２の時間間隔と重複する場合、視聴者測定データは故障とされると判定するステップと、第１時間間隔が第２時間間隔に重複しない場合、視聴者測定データは故障とされないと判定するステップとを含む。いくつかの例では、提示デバイス状態データは、視聴者測定データを判定した視聴者測定メータと離れた状態モニタによって判定される。
【００１７】
[0017]少なくとも一部の従来の視聴者測定システムでは、いつでも監視対象のメディア提示デバイスによって示されるメディアコンテンツの正確な監視を確実にするために、視聴者測定メータは継続的に動作する。しかしながら、メディア提示デバイスはしばしば、通常は睡眠時間である夜間等、かなりの期間非アクティブであるので、このような、これらの従来の視聴者測定メータの継続的な動作は不要な、及び／又は無駄な電力消費につながる可能性がある。このような従来のシステムとは対照的に、本明細書で開示する電力管理方法、装置及び製品の例は、視聴者測定メータによって監視されているメディア提示デバイスの検出されたアクティブ化状態に対応して、視聴者測定メータが（例えば起動される）アクティブ化されたり、（例えばスリープ状態にされる）非アクティブ化されたりすることを可能にするので、それによって視聴者測定メータのエネルギー効率を向上させる。さらに、又は代替として、本明細書で開示する電力管理方法、装置及び製品は、視聴者測定メータが報告する視聴者測定データを有しており、したがって問い合わせのために起動されるのかどうか、又は視聴者測定メータが報告する視聴者測定データを有しておらず、したがって低電力のスリープ状態で動作を継続することを許可されてもよいのかどうかを判定することが可能であり、このこともまた効率的なエネルギー消費をもたらす。
【００１８】
[0018]さらに、少なくとも一部の従来の視聴者測定システムでは、視聴者測定メータに、監視対象期間の任意の期間について電力喪失又は（例えば通信機能停止等の）その他の機能停止が生じる場合、視聴者測定メータによって与えられる視聴者測定データは、例えば丸一日などの全監視期間について、（例えば無効、放棄とみなされる）故障とされる場合がある。このような従来のシステムでは、視聴者測定データを処理するためのものであるデータ処理設備は、視聴者測定メータに生じた電力喪失に起因する測定データの中の空白（複数可）の間に、視聴者測定メータによって監視されているメディア提示デバイスが依然としてメディアコンテンツを示している可能性があるかどうかを判定することができないので、視聴者測定データはこれらの状況下では故障とされる。このような従来のシステムとは対照的に、本明細書で開示する電力管理方法、装置及び製品の例は、（例えば、電力喪失又はその他の機能停止が視聴者測定メータによって報告される視聴者データの中の空白によって示される場合）視聴者測定メータに生じた電力喪失又はその他の停電の間に、視聴者測定メータによって監視対象のメディア提示デバイスがアクティブであったのか、又は非アクティブであったのかどうかを、データ処理設備が判定することを可能にする。さらに、視聴者測定メータに電力喪失又はその他の機能停止が生じていた間、メディア提示デバイスが非アクティブであったと判定される場合、電力喪失又はその他の機能停止に起因する測定データの中の空白（複数可）の間にメディアコンテンツが提示されていた可能性はなく、したがってデータ処理設備は、視聴者測定メータから取得された視聴者測定データを故障とする必要はないことを判定することができる。
【００１９】
[0019]図面を見ると、図１には、本明細書で開示する視聴者測定メータのための電力管理を採用した視聴者測定システム１００のブロック図が描かれている。図示する例の視聴者測定システム１００は、（例えば視聴者メンバーの自宅等の）同じ位置か、又は２つ以上の異なる位置に存在してもよい３つの監視対象サイト例１０５Ａ、１０５Ｂ及び１０５Ｃを含む。監視対象サイト１０５Ａは、メディア提示デバイス例１１０Ａ、及びメディア提示デバイス１１０Ａによって提示されるメディアコンテンツを監視するための視聴者測定メータ例１１５Ａを含む。同様に、監視対象サイト１０５Ｂは、メディア提示デバイス例１１０Ｂ、及びメディア提示デバイス１１０Ｂによって提示されるメディアコンテンツを監視するための視聴者測定メータ例１１５Ｂを含み、監視対象サイト１０５Ｃは、メディア提示デバイス例１１０Ｃ、及びメディア提示デバイス１１０Ｃによって提示されるメディアコンテンツを監視するための視聴者測定メータ例１１５Ｃを含む。本明細書で説明する例によって視聴者測定メータ１１５Ａ〜Ｃのための電力管理を支援するために、監視対象サイト１０５Ａ〜Ｃは各状態モニタ１２０Ａ〜Ｃを含み、これらについては以下でより詳細に説明する。図示する例の視聴者測定システム１００は３つの監視対象サイト１０５Ａ〜Ｃを含むが、本明細書で説明する視聴者測定メータの電力管理は、任意の数の監視対象サイト１０５Ａ〜Ｃを有する視聴者測定システム１００の中で使用されることが可能である。
【００２０】
[0020]メディア提示デバイス例１１０Ａ〜Ｃは各々、メディアコンテンツを聴覚的及び／又は視覚的に提示することができる任意の種類のオーディオ、ビデオ及び／又はマルチメディア提示デバイスに対応する。例えば、メディア提示デバイス１１０Ａ〜Ｃのうちの１つ又は複数は、全米テレビジョン標準化委員会（ＮＴＳＣ）規格、位相反転線（ＰＡＬ）規格、メモリ搭載カラー電子システム（Ｓｙｓｔｅｍｅ  Ｅｌｅｃｔｒｏｎｉｑｕｅ  ｐｏｕｒ  Ｃｏｕｌｅｕｒ  ａｖｅｃ  Ｍｅｍｏｉｒｅ）（ＳＥＣＡＭ）規格、高解像度テレビジョン（ＨＤＴＶ）等の先進型テレビジョン方式委員会（ＡＴＳＣ）によって開発された規格、デジタルビデオブロードキャスティング（ＤＶＢ）プロジェクトによって開発された規格等の各々に対応することが可能である。その他の例として、メディア提示デバイス１１０Ａ〜Ｃのうちの１つ又は複数は、マルチメディアコンピュータシステム、パーソナルデジタルアシスタント、セルラー／モバイルスマートフォン、無線等に対応することが可能である。
【００２１】
[0021]視聴者測定メータ１１５Ａ〜Ｃは各々、各メディア提示デバイス１１０Ａ〜Ｃによって提示されるメディアコンテンツを監視することができる任意の種類の測定デバイスに対応することが可能である。図１では、視聴者測定メータ１１５Ａ〜Ｃは、メディア提示デバイス１１０Ａ〜Ｃへの１つ又は複数の物理的接続を伴う侵略的監視及び／又はメディア提示デバイス１１０Ａ〜Ｃへのいかなる物理的接続も伴わない非侵略的監視を支援してもよいので、視聴者測定メータ１１５Ａ〜Ｃと各メディア提示デバイス１１０Ａ〜Ｃの間の接続は破線によって表される。例えば、視聴者測定メータ１１５Ａ〜Ｃのうちの１つ又は複数は、マイク及び／又は直接ケーブル接続から取得されたオーディオ信号を処理して、メディア提示デバイス１１０Ａ〜Ｃのうちの１つ又は複数の各々によって提示されるメディアコンテンツのオーディオ部分（複数可）に埋め込まれたオーディオ符号及び／又はオーディオ透かしを識別するコンテンツ及び／又はソースを検出することができる。さらに、又は代替として、視聴者測定メータ１１５Ａ〜Ｃのうちの１つ又は複数は、カメラ及び／又は直接ケーブル接続から取得されたビデオ信号を処理して、メディア提示デバイス１１０Ａ〜Ｃのうちの１つ又は複数の各々によって提示されるメディアコンテンツのビデオ部分（複数可）に埋め込まれたビデオ符号及び／又はビデオ透かしを識別するコンテンツ及び／又はソースを検出することができる。さらに、又は代替として、視聴者測定メータ１１５Ａ〜Ｃのうちの１つ又は複数は、上述のオーディオ信号及び／又はビデオ信号を処理して、メディア提示デバイス１１０Ａ〜Ｃのうちの１つ又は複数の各々によって提示されるメディアコンテンツからオーディオ及び／又はビデオ署名を各々生成することができ、それらは参照署名と比較されてソース及び／又はコンテンツの識別を実行することができる。その他の種類の視聴者測定メータ１１５Ａ〜Ｃもまた、本明細書で開示する視聴者測定メータ電力管理技術例によって支援されることが可能である。
【００２２】
[0022]図１の視聴者測定システム１００では、上述のメディアコンテンツ監視機能は、そのような機能の範囲が、各視聴者測定メータ１１５Ａ〜Ｃが存在する特定の監視対象サイト１０５Ａ〜Ｃに限定されることを示すために、サイトユニット（ＳＵ）機能と呼ばれる。さらに、図示された例の視聴者測定メータ１１５Ａは、ホームユニット（ＨＵ）機能を実装する。ホームユニット機能には、（例えば視聴者測定メータ１１５Ａの）ホームユニットが、サイトユニットの各々によって判定された視聴者測定データを取得するために、（例えば加入者世帯の）特定の位置にある（例えば視聴者測定メータ１１５Ｂ〜Ｃの）他のサイトユニットに問い合わせるデータのロギング及び転送機能が伴う。視聴者測定データは、例えば、メディアコンテンツ識別情報、ソース識別情報、コンテンツ提示期間情報、（例えばチャネル及びボリュームの変更情報、デジタルビデオレコーダのコマンドの選択などの）視聴者メンバーインタラクション情報、視聴者メンバー識別情報等を含むことができる。その後、ホームユニットはサイトユニットから取得された視聴者測定データを保存して、この視聴者測定データを（例えば特定のプログラムの信用格付け、商業広告ブロードキャストの確認等のための）後処理のためにデータ処理設備に転送する。
【００２３】
[0023]例えば、視聴者測定システム１００では、視聴者測定メータ１１５Ａはホームユニット機能を提供し、それによって、監視対象サイト１０５Ｂ及び１０５Ｃの各々から視聴者測定データを取得するために、ネットワーク例１２５を介して視聴者測定メータ１１５Ｂ及び１１５Ｃに問い合わせる。その後、視聴者測定メータ１１５Ａは、この視聴者測定データを、監視対象サイト１０５Ａについて視聴者測定メータ１１５Ａ自体によって判定された視聴者測定データとともに保存して、これらをネットワーク例１３０を介してデータ処理設備例１３５に報告する。データ処理設備１３５は、以下でより詳細に説明するように、報告された視聴者測定データを有効とし、このデータの任意の適切な後処理を実行する。図示する例の中では、ネットワーク１２５及び１３０は、任意の種類のワイヤード若しくはワイヤレスデータネットワーク、又はそれらの組み合わせに対応することができる。また、ネットワーク１２５及び１３０は、共通のネットワークの部分に対応することが可能であり、又は異なるネットワークに対応することが可能である。
【００２４】
[0024]上述のように、視聴者測定システム１００は、本明細書で説明される視聴者測定メータ電力管理を支援するための状態モニタ１２０Ａ〜Ｃを含む。一般に、本明細書で説明される状態モニタ例は、各メディア提示デバイスのアクティブ化状態を監視し、監視対象の各メディア提示デバイスのアクティブ化状態に基づいて、各視聴者測定メータのアクティブ化を制御する。例えば、状態モニタは、各メディア提示デバイスが（例えばオンの）アクティブ状態であると判定される場合には、その各々の視聴者測定メータを（例えばアクティブモードの）使用可能状態に設定し、各メディア提示デバイスが（例えばオフの）非アクティブ状態であると判定される場合には、その各々の視聴者測定メータを（例えば低電力モードの）スリープ状態に設定することが可能である。さらに、又は代替として、状態モニタは、各メディア提示デバイスが問い合わせ間隔の間に（又は例えば、その他のそのような測定間隔の間に）、（例えばオフの）非アクティブ状態であったと判定される場合、その各々の視聴者測定メータの問い合わせは省かれてもよいことをホームユニットに示すことができる。さらに、又は代替として、状態モニタは、監視対象となるその各々のメディア提示デバイスのアクティブ化状態を表す提示デバイスの状態データを判定して、報告することが可能であり、この提示デバイスの状態データは、各視聴者測定メータによって報告される視聴者測定データを有効とする際にデータ処理設備によって使用されるための、各々の監視対象となる状態についての開始時間及び期間を特定する時間情報を含む。
【００２５】
[0025]例えば、視聴者測定システム１００では、状態モニタ１２０Ａは電源１４０Ａに電気的に結合されている。図示する例では、状態モニタ１２０Ａは電源１４０Ａをメディア提示デバイス１１０Ａに結合し、これは回線１４５Ａによって表される。このように、状態モニタ１２０Ａは、メディア提示デバイス１１０Ａの（例えばアクティブ／オン又は非アクティブ／オフの）アクティブ化状態を判定するために、電源１４０Ａに関連した電力消費を（例えば電流消費を監視することによって）監視することができる。監視対象のメディア提示デバイス１１０Ａのアクティブ化状態に基づいて、状態モニタ１２０Ａは、例えば状態モニタ１２０Ａが、メディア提示デバイス１１０Ａがアクティブであると判定する場合には、視聴者測定メータ１１５Ａが使用可能状態に入るようにし、状態モニタ１２０Ａが、メディア提示デバイス１１０Ａが非アクティブであると判定する場合には、視聴者測定メータ１１５Ａがスリープ状態に入るようにすることによって、視聴者測定メータ１１５Ａのアクティブ化を制御することができる。図１の例では、状態モニタ１２０Ａは、この方法で視聴者測定メータ１１５Ａを制御するために（例えばワイヤード／ケーブルドの）物理的接続１５０Ａを用いる。図示の例では、状態モニタ１２０Ａもまたネットワーク１２５に接続されており、したがって、各々の監視対象となる状態についての開始時間及び期間を特定する時間情報を含む、監視対象メディア提示デバイス１１０Ａのアクティブ化状態を表す提示デバイス状態データを後でデータ処理設備１３５へ報告するために、ホームユニットの視聴者測定メータ１１５Ａに報告することができる。以下でより詳細に説明するように、データ処理設備１３５はこの報告された提示デバイス状態情報を、メータ１１５Ａによって報告される視聴者測定データから判定された機能停止情報とともに、メータ１１５Ａによって報告される視聴者測定データを故障とするのか、又は有効とするのかどうかを判定するために使用する。
【００２６】
[0026]同様に、状態モニタ１２０Ｂは電源１４０Ｂに電気的に結合されている。図示する例では、状態モニタ１２０Ｂは電源１４０Ｂをメディア提示デバイス１１０Ｂに結合し、これは回線１４５Ｂによって表される。このように、状態モニタ１２０Ａと同様に、状態モニタ１２０Ｂは、メディア提示デバイス１１０Ｂの（例えばアクティブ／オン又は非アクティブ／オフの）アクティブ化状態を判定するために、電源１４０Ｂに関連した電力消費を（例えば電流消費を監視することによって）監視することができる。監視対象のメディア提示デバイス１１０Ｂのアクティブ化状態に基づいて、状態モニタ１２０Ｂは、例えば状態モニタ１２０Ｂが、メディア提示デバイス１１０Ｂがアクティブであると判定する場合には、視聴者測定メータ１１５Ｂが使用可能状態に入るようにし、状態モニタ１２０Ｂが、メディア提示デバイス１１０Ｂが非アクティブであると判定する場合には、視聴者測定メータ１１５Ｂがスリープ状態に入るようにすることによって、視聴者測定メータ１１５Ｂのアクティブ化を制御することができる。しかしながら、状態モニタ１２０Ａによって用いられるワイヤード接続１５０Ａとは異なり、状態モニタ１２０Ｂは、この方法で視聴者測定メータ１１５Ｂを制御するために、ワイヤレス接続１５０Ｂを用いる。また、状態モニタ１２０Ａと同様に、状態モニタ１２０Ｂはネットワーク１２５に接続されており、したがって、各々の監視対象となる状態についての開始時間及び期間を特定する時間情報を含む、監視対象メディア提示デバイス１１０Ｂのアクティブ化状態を表す提示デバイス状態データを後でデータ処理設備１３５へ報告するために、ホームユニットの視聴者測定メータ１１５Ａに報告することができる。以下でより詳細に説明するように、データ処理設備１３５はこの報告された提示デバイス状態情報を、メータ１１５Ｂによって報告される視聴者測定データから判定された機能停止情報とともに、メータ１１５Ｂによって報告される視聴者測定データを故障とするのか、又は有効とするのかどうかを判定するために使用する。さらに、又は代替として、いくつかの例では、状態モニタ１２０Ｂは、監視対象メディア提示デバイス１１０Ｂのアクティブ化状態に基づいて、視聴者測定データを取り出すための視聴者測定メータ１１５Ｂの問い合わせが、電流問い合わせ間隔の間に（又は例えば、その他のそのような測定間隔の間に）省かれることが可能かどうかを示すために、ネットワーク１２５を介してホームユニットの視聴者測定メータ１１５Ａと通信する。
【００２７】
[0027]図示する図１の例では、状態モニタ１２０Ｃは、状態モニタ１２０Ｃに電力を供給するための電源１４０Ｃに電気的に結合されている。しかしながら、状態モニタ１２０Ａ〜Ｂの配置とは異なり、図示する例の状態モニタ１２０Ｃは、電源１４０Ｃをメディア提示デバイス１１０Ｃに結合しない。代わりに、メディア提示デバイス１１０Ｃのための電源１４５Ｃは、状態モニタ１２０Ｃに電力を供給する電源１４０Ｃと分離していてもよい。このように、状態モニタ１２０Ｃは、メディア提示デバイス１１０Ｃの（例えばアクティブ／オン又は非アクティブ／オフの）アクティブ化状態を判定するために、例えばセンサ例１６０を使用してメディア提示デバイス１１０Ｃから出力されたオーディオ信号１５５を監視すること等によって、メディア提示デバイス１１０Ｃの１つ又は複数のその他の動作態様を監視する。監視対象メディア提示デバイス１１０Ｃのアクティブ化状態に基づいて、状態モニタ１２０Ｃは、例えば、状態モニタ１２０Ｃが、メディア提示デバイス１１０Ｃがアクティブであると判定する場合には、視聴者測定メータ１１５Ｃが使用可能状態に入るようにし、状態モニタ１２０Ｃが、メディア提示デバイス１１０Ｃが非アクティブであると判定する場合には、視聴者測定メータ１１５Ｃがスリープ状態に入るようにすることによって、視聴者測定メータ１１５Ｃのアクティブ化を制御することができる。状態モニタ１２０Ｃは、状態モニタ１２０Ｂと同様に、この方法で視聴者測定メータ１１５Ｃを制御するためにワイヤレス接続１５０Ｃを用いる。また、状態モニタ１２０Ａ〜Ｂと同様に、状態モニタ１２０Ｃはネットワーク１２５に接続されており、したがって、各々の監視対象となる状態についての開始時間及び期間を特定する時間情報を含む、監視対象メディア提示デバイス１１０Ｃのアクティブ化状態を表す提示デバイス状態データを後でデータ処理設備１３５へ報告するために、ホームユニットの視聴者測定メータ１１５Ａに報告することができる。以下でより詳細に説明するように、データ処理設備１３５はこの報告された提示デバイス状態情報を、メータ１１５Ｃによって報告される視聴者測定データから判定された機能停止情報とともに、メータ１１５Ｃによって報告される視聴者測定データを故障とするのか、又は有効とするのかどうかを判定するために使用する。さらに、又は代替として、いくつかの例では、状態モニタ１２０Ｃは、監視対象メディア提示デバイス１１０Ｃのアクティブ化状態に基づいて、視聴者測定データを取り出すための視聴者測定メータ１１５Ｃの問い合わせが、電流問い合わせ間隔の間に（又は例えば、その他のそのような測定間隔の間に）省かれることが可能かどうかを示すために、ネットワーク１２５を介してホームユニットの視聴者測定メータ１１５Ａと通信する。
【００２８】
[0028]図２には、例えば図１のシステムモニタ１２０Ａ〜Ｃのうちの任意のものを実装するために使用されることができる状態モニタ例２００のブロック図が描かれている。図２の状態モニタ例２００は、例えばメディア提示デバイス１１０Ａ〜Ｃのうちの１つ等のメディア提示デバイスのアクティブ化状態を監視するための提示デバイス状態モニタ例２０５を含む。図示する例では、状態モニタ２００は、電源が電力入力２１０から電力出力２１５へ電気的に結合されるように、（例えば電源１４０Ａ〜Ｂのうちの１つの）電源と一列に並んで配置されてもよい。メディア提示デバイスが、電力入力２１０に電気的に結合された電源から電力を得るために電力出力２１５に電気的に結合されている場合、提示デバイス状態モニタ２１０は、電力入力２１０に電気的に結合された電源に関連した電力消費を監視することによって、メディア提示デバイスのアクティブ化状態を判定することができる。
【００２９】
[0029]例えば、提示デバイス状態モニタ２０５は、監視対象メディア提示デバイスがアクティブ／オン状態にある場合の最少予想電力（電流）消費に対応する（例えば第１電流消費閾値等の）第１電力消費閾値、及び／又は監視対象メディア提示デバイスが非アクティブ／オフ状態にある場合の最大予想電力（電流）消費に対応する（例えば第２電流消費閾値等の）第２電力消費閾値で調整されてもよい。動作の間、提示デバイス状態モニタ２０５は、電力入力２１０に電気的に結合された電源に関連した監視対象となる電力（電流）消費を監視し、次いで監視された電力（電流）消費を第１及び／又は第２の調整閾値と比較するために、任意の適切な技術を使用することができる。いくつかの例では、提示デバイス状態モニタ２０５は、監視対象となる電力（電流）消費が第１閾値よりも大きい場合には、監視対象メディア提示デバイスがアクティブ／オンの状態にあると判定し、監視対象となる電力（電流）消費が第２閾値よりも小さい場合には、監視対象メディア提示デバイスが非アクティブ／オフの状態にあると判定する。代替として、いくつかの例では、提示デバイス状態モニタ２０５は、監視対象となる電力（電流）消費が第１閾値よりも大きい場合には、監視対象メディア提示デバイスがアクティブ／オンの状態にあると判定し、監視対象となる電力（電流）消費が第１閾値よりも小さい場合には、監視対象メディア提示デバイスが非アクティブ／オフの状態にあると判定する。代替として、いくつかの例では、提示デバイス状態モニタ２０５は、監視対象となる電力（電流）消費が第２閾値よりも大きい場合には、監視対象メディア提示デバイスがアクティブ／オンの状態にあると判定し、監視対象となる電力（電流）消費が第２閾値よりも小さい場合には、監視対象メディア提示デバイスが非アクティブ／オフの状態にあると判定する。
【００３０】
[0030]さらに、又は代替として、提示デバイス状態モニタ２０５は、監視対象メディア提示デバイスが非アクティブ／オフ状態からアクティブ／オン状態に切り替えられたときを判定するために、経時的な電力（電流）消費の測定における傾斜変化を検出することができる。例えば、提示デバイス状態モニタ２０５が、１つ又は複数の各々の（例えば連続する）測定時間間隔での電力（電流）消費の増加に対応する１つ又は複数の正の傾斜変化を検出する場合、提示デバイス状態モニタ２０５は、監視対象メディア提示デバイスが非アクティブ／オフ状態からアクティブ／オン状態へ切り替えられていることを判定することができる。反対に、提示デバイス状態モニタ２０５が、１つ又は複数の各々の（例えば連続する）測定時間間隔での電力（電流）消費の減少に対応する１つ又は複数の負の傾斜変化を検出する場合、提示デバイス状態モニタ２０５は、監視対象メディア提示デバイスがアクティブ／オン状態から非アクティブ／オフ状態へ切り替えられていることを判定することができる。
【００３１】
[0031]いくつかの例では、提示デバイス状態モニタ２０５はさらに、又は代替として、監視対象メディア提示デバイスのアクティブ化状態を判定するために、監視対象メディア提示デバイスによって出力され、デジタルオーディオ入力２２０に適用されるデジタルオーディオストリームを監視することができる。例えば、いくつかのメディア提示デバイスについては、そのようなデバイスがアクティブ／オンの場合には常にデジタルオーディオストリームが存在し、デバイスが非アクティブ／オフの場合には常にデジタルオーディオストリームは存在しない。そのようなメディア提示デバイスについては、監視対象となる提示デバイスのデジタルオーディオ出力がデジタルオーディオ入力２２０に結合される場合、提示デバイス状態モニタ２０５は、デジタルオーディオストリームが存在するために、デジタルオーディオ入力２２０を監視することができる。デジタルオーディオストリームが存在する場合、提示デバイス状態モニタ２０５は、監視対象メディア提示デバイスがアクティブ／オン状態であると判定する。一方、デジタルオーディオストリームが存在しない場合、提示デバイス状態モニタ２０５は、監視対象メディア提示デバイスが非アクティブ／オフ状態であると判定する。
【００３２】
[0032]いくつかの例では、提示デバイス状態モニタ２０５はさらに、又は代替として、監視対象メディア提示デバイスのアクティブ化状態を判定するために、監視対象メディア提示デバイスから生じ、マイク２２５等のオーディオセンサ２２５によって受信されるオーディオ信号を監視することができる。例えば、提示デバイス状態モニタ２０５は、オーディオ信号の存在を検出するためにセンサ２２５の出力を監視することができる。オーディオ信号が（例えば信号エネルギー閾値との比較に基づいて）検出される場合、提示デバイス状態モニタ２０５は、監視対象メディア提示デバイスがアクティブ／オン状態であると判定する。一方、オーディオ信号が検出されない場合、提示デバイス状態モニタ２０５は、監視対象メディア提示デバイスが非アクティブ／オフ状態であると判定する。さらに、又は代替として、提示デバイス状態モニタ２０５は、センサ２２５からのオーディオ信号出力を処理して、監視対象メディア提示デバイスのアクティブ化状態を判定するために、２０１１年２月１日に発行された米国特許第７，８８２，５１４号「Ｄｉｓｐｌａｙ  Ｄｅｖｉｃｅ  Ｏｎ／Ｏｆｆ  Ｄｅｔｅｃｔｉｏｎ  Ｍｅｔｈｏｄｓ  ａｎｄ  Ａｐｐａｒａｔｕｓ」の中で説明されている技術のうちの任意の１つ又は複数を使用することができる。さらに、又は代替として、提示デバイス状態モニタ２０５は、オーディオ信号以外の、又はオーディオ信号に加えて出力信号を処理して、監視対象メディア提示デバイスのアクティブ化状態を判定するために、米国特許第７，８８２，５１４号の中で説明されている技術のうちの任意の１つ又は複数を用いることができる。
【００３３】
[0033]図２の状態モニタ例２００もまた、提示デバイス状態モニタ２０５によって判定される（例えば関連のメディア提示デバイス１１０Ａ〜Ｃのうちの１つ等の）関連のメディア提示デバイスの現在のアクティブ化状態に基づいて、（例えば視聴者測定メータ１１５Ａ〜Ｃのうちの１つ等の）視聴者測定メータのための電力管理を実行するためのメータ電力マネージャ２３０を含む。表１は、視聴者測定メータ例についての動作状態のセット例を示す。表１に挙げる動作状態のセット例は、インテル（Ｉｎｔｅｌ）（登録商標）のＡｔｏｍ（商標）チップセットに基づくメータ実装に対応しているが、この動作状態のリストは、その他のプロセッサが動作するように設定されることが可能な典型的な状態の代表である。さらに、本明細書で説明する視聴者測定メータのための電力管理は、表１に挙げる動作状態のメータとともに使用されることに限定されず、少なくとも１つの状態が（例えばオンの）使用可能状態に対応し、少なくとも１つの他の動作状態がスリープ又はその他の低電力状態に対応する２つ以上の動作状態の任意のメータとともに使用されることが可能である。
【表１】
2012253759.tif 000003
【００３４】
[0034]表１を見ると、状態Ｓ３は、（例えば視聴者測定メータ１１５Ａ〜Ｃのうちの１つ等の）対応する視聴者測定メータが適切なスリープ信号（又は同等に、適切なスリープコマンド）のアプリケーションに応じて設定されることが可能なスリープ（又は低電力）に対応する。視聴者測定メータは、適切なウェイクアップ信号（又は同等に、適切なウェイクアップコマンド）に応じて、状態Ｓ３又は他の低電力状態から起動される、又は言い換えれば、使用可能状態（オン）に対応する状態Ｓ０に移行するように構成されることが可能である。視聴者測定メータをスリープ状態（Ｓ３）から起動するために使用されることが可能な適切なウェイクアップ信号／コマンドの例は、（１）設定されたリアルタイムクロック（ＲＴＣ）アラームが生じると、視聴者測定メータを使用可能状態（Ｓ０）に移行させるＲＴＣアラーム信号；（２）ローカルエリアネットワーク（ＬＡＮ）インターフェースでデータが検出されると、視聴者測定メータを使用可能状態（Ｓ０）に移行させるウェイクオンＬＡＮ信号；（３）ワイヤレスＬＡＮ（ＷＬＡＮ）インターフェースでデータが検出されると、視聴者測定メータを使用可能状態（Ｓ０）に移行させるウェイクオンＬＡＮ信号；（４）ユニバーサルシリアルバス（ＵＳＢ）インターフェースでデータが検出されると、視聴者測定メータを使用可能状態（Ｓ０）に移行させるウェイクオンＵＳＢ信号等のうちの１つ又は複数を含む。ウェイクアップ信号／コマンドのその他の例は、入力／出力（Ｉ／Ｏ）ピン上で信号をアサートすると割り込みが生じ、それによってメータがスリープ状態から使用可能状態に移行するように、適切に設定されたＩ／Ｏピン上で信号をアサートすることを含む。ウェイクアップ信号／コマンドのその他の例は、メッセージが検出される場合に、メータをスリープ状態から使用可能状態に移行させる適切に設定されたバスを介してメッセージを送信することを含む。
【００３５】
[0035]いくつかの例では、メータ電力マネージャ２３０は、関連の視聴者測定メータにスリープ信号を送信するのか、又は適切なウェイクアップ信号を送信するのかどうかを判定するために、提示デバイス状態モニタ２０５によって判定される監視対象メディア提示デバイスの電流アクティブ化状態を使用する。例えば、一般性を失うことなく、図１の状態モニタ１２０Ａを実装するために、図２の状態モニタ例２００が使用されるとする。そのような例の中で、さらに、メディア提示デバイスは非アクティブ／オフであり、視聴者測定メータ１１５Ａはスリープ状態（Ｓ３）であるとする。提示デバイス状態モニタ２０５が、メディア提示デバイス１１０Ａがアクティブ／オン状態に移行していることを検出する場合、メータ電力マネージャ２３０は適切なウェイクアップ信号／コマンドを視聴者測定メータ１１５Ａに送信し、メータ１１５Ａを使用可能状態（Ｓ０）に移行させる。例えば、メータ管理マネージャ２３０は（例えばワイヤード／ケーブルドの）物理的電力制御接続２４５を介して、ＬＡＮ信号、ウェイクオンＵＳＢ信号、適切なバスメッセージを送信することができる、及び／又は適切なＩ／Ｏピンをアサートすることができる。さらに、又は代替として、メータ電力マネージャ２３０は、ワイヤレス電力制御接続２５０を介して、ウェイクオンＷＬＡＮ信号を送信することができる。次いで、その後のある時点で、提示デバイス状態モニタ２０５が、メディア提示デバイス１１０Ａが非アクティブ／オフ状態に移行していることを検出するとする。それに応じて、メータ電力マネージャ２３０は、メータ電力マネージャ２３０は、接続２４５及び／又は２５０のうちの１つ又は両方を介して適切なスリープ信号を視聴者測定メータ１１５に送信し、メータ１１５Ａをスリープ状態（Ｓ３）に移行させる。
【００３６】
[0036]図２の状態モニタ例２００は、提示デバイス状態モニタ２０５によって判定される、監視対象メディア提示デバイスのアクティブ化状態を表す提示デバイス状態データを記録するための状態ロガー例２３５をさらに含む。例えば、提示デバイス状態データは、監視対象メディア提示デバイスのアクティブ化状態の変化が生じたこと、及び結果として生じる（例えばアクティブ／オン、非アクティブ／オフの）アクティブ化状態を示す情報を含むことができる。さらに、図示する例では、図２の状態モニタ例２００は、絶対的又は相対的時間を追跡することができるリアルタイムクロック（ＲＴＣ）２４０、又は同様のクロッキング／タイミング機構を含む。状態ロガー２３５は、監視対象メディア提示デバイスのアクティブ化状態における各々の監視対象となる変化の開始時間、及び各々結果として生じる監視対象メディア提示デバイスの監視対象となるアクティブ化状態の期間を追跡するために、ＲＴＣ２４０を使用する。いくつかの例では、このタイミング情報は、状態ロガー２３５によって記録された提示デバイス状態データの中に含まれる。さらに、状態モニタ２００は、特定の停電イベントの間に、提示デバイス状態モニタ２０５が特定のメディア提示デバイスのアクティブ化状態を監視し続けることを可能にし、状態ロガー２３５が提示デバイス状態データを記録し続けることを可能にするために、バッテリ及び／又はその他のバックアップ電源（不図示）を含むことができる。提示デバイス状態データは、１つ又は複数のデータ構造、データベースエントリ等の任意のデータ形式で保存されることが可能である。
【００３７】
[0037]さらに、図２の状態モニタ例２００は、例えば（ホームユニットの視聴者測定メータ１１５Ａ等の）ホームユニットからインターフェース２６０を介して受信される状態クエリを受信し、それに応答するためのメータ状態レポータ例２５５を含む。図１の視聴者測定システム１００を参照すると、いくつかの例では、ホームユニットの視聴者測定メータ１１５Ａは、サイトユニットの視聴者測定メータ１１５Ｂ及び１１５Ｃの保存された視聴者測定データを取得するために、定期的な問い合わせ間隔でそれらにクエリを行う。問い合わせクエリを行うときに、特定のサイトユニット視聴者測定メータ１１５Ｂ〜Ｃが（例えば状態Ｓ３の）スリープ状態にある場合、特定のサイトユニット視聴者測定メータ１１５Ｂ〜Ｃは、問い合わせを受けることに応じて、起動し、（例えば状態Ｓ０の）使用可能状態に移行する。しかしながら、特定のサイトユニットの視聴者測定メータ１１５Ｂ〜Ｃによって監視される各メディア提示デバイス１１０Ｂが、（例えば停電、デバイスの不使用等のために）問い合わせクエリに関連した全問い合わせ／測定間隔の間に非アクティブ／オフであった場合、特定のサイトユニットの視聴者測定メータ１１５Ｂ〜Ｃは、報告するべき視聴者測定データを持たない。このような状況では、特定のサイトユニット視聴者測定メータ１１５Ｂ〜Ｃを、受信した問い合わせクエリに応答するために起動する必要はなく、（例えば、メータ１１５Ｂ〜Ｃが停電の間にバックアップバッテリ電力で動作しており、スリープ状態にあるが、後で不必要に起動される場合）メータのエネルギー効率を減らすこと、及び／又はバックアップバッテリの寿命を減らすことにつながる可能性がある。
【００３８】
[0038]報告すべき視聴者測定データを持たない場合に、特定のサイトユニットの視聴者測定メータ１１５Ｂ〜Ｃにクエリを行うことを回避するために、ホームユニットの視聴者測定メータ１１５Ａは最初に、問い合わせ／測定間隔の間に、特定のサイトユニットの視聴者測定メータ１１５Ｂ〜Ｃに関連した状態モニタ１２０ＢからＣにクエリを送信して、各メディア提示デバイス１１０Ｂ〜Ｃのアクティブ化状態に関する情報を取得することができる。状態モニタ１２０Ｂ〜Ｃが、各メディア提示デバイス１１０Ｂ〜Ｃが全問い合わせ／測定間隔の間に非アクティブであり、したがって視聴者測定データが入手できないという表示で応答する場合、ホームユニットの視聴者測定メータ１１５Ａは、現在の問い合わせ／測定間隔の間に、特定のサイトユニットの視聴者測定メータ１１５Ｂ〜Ｃの問い合わせを省くことができる。しかしながら、状態モニタ１２０Ｂ〜Ｃが、各メディア提示デバイス１１０Ｂ〜Ｃが問い合わせ／測定間隔の少なくとも一部の間アクティブであり、したがって、視聴者測定データが入手できるという表示で応答する場合、ホームユニットの視聴者測定メータ１１５Ａは、特定のサイトユニットの視聴者測定メータ１１５Ｂ〜Ｃへの問い合わせを続行して、その現在の問い合わせ／測定間隔についての視聴者測定データを取得することができる。
【００３９】
[0039]図２を参照すると、メータ状態レポータ２５５はそのような状態クエリをホームユニットから受信し、状態ロガー２３５によって記録された提示デバイス状態データを処理して、状態モニタ２００によって監視されているメディア提示デバイスが、（例えば最後の状態クエリが受信されて以来）現在の問い合わせ／測定間隔の間に非アクティブであったのか、又はアクティブであったのかどうかを判定することができる。提示デバイス状態データが、監視対象のメディア提示デバイスが現在の問い合わせ／測定間隔の間に非アクティブであったことを示す場合、メータ状態レポータ２５５は、メディア提示デバイスが非アクティブであったために入手できる視聴者測定データはない（したがって、関連の視聴者測定メータの問い合わせが省かれてもよい）という表示で状態クエリに応答してもよい。しかしながら、提示デバイス状態データが、監視対象のメディア提示デバイスが現在の問い合わせ／測定間隔の少なくとも一部の間にアクティブであったことを示す場合、メータ状態レポータ２５５は、メディア提示デバイスがアクティブであったために視聴者測定データが入手できる（したがって、関連の視聴者測定メータの問い合わせが実行されるべきである）という表示で状態クエリに応答してもよい。
【００４０】
[0040]いくつかの例では、メータ状態レポータ２５５はさらに、又は代替として、状態ロガー２３５によって記録された提示デバイス状態データについてのクエリを受信すること、及びそれに応答することを支援する。例えば、（例えばホームユニットの視聴者測定メータ１１５Ａ等の）ホームユニットは、（例えばデータ処理設備１３５の）データ処理設備に報告するために、状態モニタ２００にクエリを行い、その提示デバイス状態データを取得することができる。以下でより詳細に説明するように、データ処理設備はその後、この提示デバイス状態データを使用して、状態モニタ２００に関連した視聴者測定メータによって報告される視聴者測定データを故障とするのか、又は有効とするのかどうかを判定することができる。
【００４１】
[0041]図３には、例えば、図１のサイトユニットの視聴者測定メータ１１５Ｂ〜Ｃのうちの任意のもの等を実装するために使用されてもよいサイトユニット視聴者測定メータ例３００のブロック図が描かれている。図３のサイトユニット視聴者測定メータ例３００は、図１の視聴者測定システム１００とともに上で説明した監視技術のうちの１つ又は複数等の、任意の侵略的又は非侵略的監視技術を使用して、（例えばメディア提示デバイス１１０Ｂ〜Ｃのうちの１つ等の）メディア提示デバイスによって提示されるメディアコンテンツを監視するための監視プロセッサ例３０５を含む。
【００４２】
[0042]図３のサイトユニット視聴者測定メータ例３００はまた、上述の状態モニタ１２０Ｂ〜Ｃ又は２００のうちの１つ等の状態モニタから受信される信号／コマンドに応答して、監視プロセッサ３０５に関連した電力消費を含む、メータ３００の電力消費を制御するための電力コントローラ例３１０も含む。例えば、監視プロセッサ３０５は、表１に挙げるような動作状態を支援すると仮定する。その後、関連の状態モニタからスリープ信号／コマンドを受信することに応じて、サイトユニット視聴者測定メータ３００の電力コントローラ３１０は、表１の状態Ｓ３又はその他の低電力状態等のスリープ状態に入るように監視プロセッサ３０５を設定することができる。さらに、関連の状態モニタから（例えばウェイクオンＬＡＮ信号、ウェイクオンＵＳＢ信号、ウェイクオンＷＬＡＮ信号等の）アクティブ化（例えば起動）信号／コマンドを受信することに応じて、電力コントローラ３１０は、表１の状態Ｓ０等の使用可能状態に入るように監視プロセッサ３０５を設定することができる。
【００４３】
[0043]図４には、図１のホームユニットの視聴者測定メータ１１５Ａの実装例のブロック図が描かれている。図４のホームユニット視聴者測定メータ１１５Ａは、図３の監視プロセッサ３０５及び電力コントローラ３１０の各々に類似しているか、又はそれらと同一であってよい、監視プロセッサ例４０５及び電力コントローラ例４１０を含む。図４のホームユニット視聴者測定メータ１１５Ａはまた、サイトユニット視聴者測定メータ１１５Ｂ〜Ｃ等のサイトユニットに問い合わせて、それらの保存された測定データを取得するためのメータインタロゲータ（meter interrogator）例４１５も含む。さらに、又は代替として、いくつかの例では、メータインタロゲータ４１５は、サイトユニットに、その視聴者測定データについてクエリを行う前に、サイトユニットに関連した状態モニタ１２０Ｂ〜Ｃ又は２００等の状態モニタにクエリを行い、サイトユニットによって監視されるメディア提示デバイスに関する情報を取得するように設定されている。
【００４４】
[0044]例えば、一般性を失うことなく、現在の問い合わせ／測定間隔が終了し、ホームユニット視聴者測定メータ１１５Ａがサイトユニット測定メータ１１５Ｂに問い合わせを行うものと仮定する。いくつかの例では、メータ１１５Ｂに問い合わせる前に、ホームユニット視聴者測定メータ１１５Ａのメータインタロゲータ４１５は、現在の問い合わせ／測定間隔の間のメディア提示デバイス１１０Ｂのアクティブ化状態に関する情報を取得するために、状態モニタ１２０Ｂに状態クエリを送信する。状態モニタ１２０Ｂが、メディア提示デバイス１１０Ｂが全問い合わせ／測定間隔の間非アクティブであったという表示で応答する場合、メータインタロゲータ４１５は、入手できる視聴者測定データはなく、したがって現在の問い合わせ／測定間隔についてメータ１１５Ｂに問い合わせることを省略するということを判定することができる。このように、メータインタロゲータ４１５は、視聴者測定メータ１１５Ｂを起動させ、不必要な追加の電力を消費させることを回避することができる。しかしながら、サイトモニタ１２０Ｂが、メディア提示デバイス１１０Ｂが現在の問い合わせ／測定間隔の少なくとも一部の間アクティブであったという表示で応答する場合、メータインタロゲータ４１５は、視聴者測定データがサイトユニット視聴者測定メータ１１５Ｂで入手可能であり、したがってメータ１１５Ｂに問い合わせて、その視聴者測定データを取得するということを判定することができる。
【００４５】
[0045]図５には、図１のデータ処理設備例１３５の実装例のブロック図が描かれている。図５のデータ処理設備例１３５は、ホームユニット視聴者測定メータ１１５Ａ等の１つ又は複数のホームユニットから視聴者測定データを取得するためのデータレシーバ（data receiver、データ受信部）例５０５を含む。さらに、いくつかの例では、データレシーバ５０５は、受信される視聴者測定データに関連したメディア提示デバイス（複数可）のアクティブ化状態（複数可）を表す提示デバイス状態データを受信する。図５の図示する例では、データ処理設備１３５はまた、データレシーバ５０５によって取得される視聴者測定データでの任意の種類の後処理を実行するためのデータプロセッサ例５１０も含む。データプロセッサ５１０によって実行されることが可能な後処理の例は、監視対象サイト１０５Ａ〜Ｃで提示されるコンテンツについて格付け情報を判定すること、監視対象サイト１０５Ａ〜Ｃで提示されるメディアコンテンツに含まれるコマーシャルについて商業広告検証を実行することを含むが、これらに限定されない。
【００４６】
[0046]さらに、図５のデータ処理設備例１３５は、データレシーバ５０５によって取得され、特定の視聴者測定メータに対応する視聴者測定データを（例えば無効とする）故障とするかどうかを判定するためのメータ故障デタミナー（meter fault determiner）例５１５を含む。視聴者測定データを故障とするかどうかを判定するための従来の技術は一般に、視聴者測定データが、測定間隔の任意の部分の間に、視聴者測定メータに停電又は（例えば通信停止等の）その他の機能停止が生じたことを示す場合、全測定間隔について、そのデータを故障とする。このような従来の技術とは対照的に、故障デタミナー５１５は、機能停止が生じていること示す視聴者測定データを故障とするのか、又は機能停止が生じても有効なままであることが可能なのかどうかを判定するために、データレシーバ５０５によって取得される提示デバイス状態データを使用することができる。
【００４７】
[0047]例えば、一般性を失うことなく、データレシーバ５０５が、（例えば視聴者測定データの中の空白（複数可）によって示される）１つ又は複数の機能停止間隔の間にメータ１１５Ｂに機能停止が生じたことを示す、視聴者測定メータ１１５Ｂに関連した視聴者測定データを受信すると仮定する。そのような機能停止（複数可）は、停電（複数可）、サイトユニット視聴者測定メータ１１５Ｂとホームユニット視聴者測定メータ１１５Ａの間の通信の混乱に対応する通信機能停止（複数可）、その他の機能停止（複数可）、又はそれらの組み合わせ（複数可）に対応することが可能である。データレシーバ５０５はまた、監視対象メディア提示デバイス１１０Ｂのアクティブ化状態の変化が生じたこと、及び結果として生じる（例えばアクティブ／オン、非アクティブ／オフ等の）アクティブ化状態とともに、各アクティブ化状態の変化の開始時間及び各々の結果として生じる監視対象のアクティブ化状態の期間を示す、状態モニタ１２０Ｂに関連した提示デバイス状態データを受信する。例えば、サイトユニット視聴者測定メータ１１５Ｂとホームユニット視聴者測定メータ１１５Ａの間の通信機能停止の場合、状態モニタ１２０Ｂは依然として、その提示デバイス状態データを、異なる通信リンク／ネットワークを介してホームユニット視聴者測定メータ１１５Ａに報告することができる。故障デタミナー５１５が、提示デバイス状態データがメディア提示デバイス１１０Ｂがアクティブ状態であったことを示す任意の時間間隔は、視聴者測定メータによって示される任意の機能停止間隔と重複すると判定する場合、メータ１１５Ｂが、メディア提示デバイス１１０Ｂがアクティブであった時間のうちの少なくとも一部について、メディア提示デバイス１１０Ｂを監視することができなかったことから、故障デタミナー５１５は視聴者測定データを故障とする。しかしながら、故障デタミナー５１５が、提示デバイス状態データがメディア提示デバイス１１０Ｂがアクティブであったことを示す時間間隔はいずれも、視聴者測定データによって示される機能停止間隔（複数可）に重複しないと判定する場合、次いで、メディア提示デバイス１１０Ｂがアクティブであった間、メータ１１５Ｂがメディア提示デバイス１１０Ｂを監視するのを妨げた機能停止はないことから、故障デタミナー５１５は視聴者測定データを故障としないことを決定することができる。さらに、いくつかの例では、故障デタミナー５１５が、特定の視聴者測定メータに長期間（又は任意の適切な時間間隔）にわたり機能停止が生じていることを検出する場合、故障デタミナー５１５は、機能停止の原因を診断し、修復するために、影響を受けた監視対象場所に適切な修理担当者を派遣することができる。
【００４８】
[0048]図２〜５には、視聴者測定メータ１１５Ａ〜Ｃ及び３００、状態モニタ１２０Ａ〜Ｃ及び２００、並びにデータ処理設備１３５を実装する方法例が描かれているが、図２〜５に図示する要素、プロセス及び／又はデバイスのうちの１つ又は複数は結合、分割、再配置、省略、削除、及び／又は任意のその他の方法で実装されてもよい。さらに、図２〜５の視聴者測定メータ例１１５Ａ〜Ｃ及び／又は３００、状態モニタ例１２０Ａ〜Ｃ及び／又は２００、データ処理設備例１３５、提示デバイス状態モニタ例２０５、メータ電力マネージャ例２３０、状態ロガー例２３５、ＲＴＣ例２４０、メータ状態レポータ例２５５、監視プロセッサ例３０５及び／又は４０５、電力コントローラ例３１０及び／又は４１０、メータインタロゲータ例４１５、データレシーバ例５０５、データプロセッサ例５１０及び／又はメータ故障デタミナー５１５は、ハードウェア、ソフトウェア、ファームウェア、及び／又はハードウェア、ソフトウェア及び／又はファームウェアの任意の組み合わせによって実装されてもよい。したがって、例えば、視聴者測定メータ例１１５Ａ〜Ｃ及び／又は３００、状態モニタ例１２０Ａ〜Ｃ及び／又は２００、データ処理設備例１３５、提示デバイス状態モニタ例２０５、メータ電力マネージャ例２３０、状態ロガー例２３５、ＲＴＣ例２４０、メータ状態レポータ例２５５、監視プロセッサ例３０５及び／又は４０５、電力コントローラ例３１０及び／又は４１０、メータインタロゲータ例４１５、データレシーバ例５０５、データプロセッサ例５１０及び／又はメータ故障デタミナー５１５は、１つ又は複数の回路（複数可）、プログラマブルプロセッサ（複数可）、特定用途向け集積回路（ＡＳＩＣ）（複数可）、プログラマブル論理デバイス（ＰＬＤ）（複数可）及び／又はフィールドプログラマブル論理デバイス（ＦＰＬＤ）（複数可）等によって実装されることが可能である。添付の装置請求項のうちの任意のものが、純粋にソフトウェア及び／又はファームウェア実装を対象とするものとして読まれる場合、視聴者測定メータ例１１５Ａ〜Ｃ及び／又は３００、状態モニタ例１２０Ａ〜Ｃ及び／又は２００、データ処理設備例１３５、提示デバイス状態モニタ例２０５、メータ電力マネージャ例２３０、状態ロガー例２３５、ＲＴＣ例２４０、メータ状態レポータ例２５５、監視プロセッサ例３０５及び／又は４０５、電力コントローラ例３１０及び／又は４１０、メータインタロゲータ例４１５、データレシーバ例５０５、データプロセッサ例５１０及び／又はメータ故障デタミナー５１５は、本明細書では、そのようなソフトウェア及び／又はファームウェアを格納する、例えばメモリ、デジタル多用途ディスク（ＤＶＤ）、コンパクトディスク（ＣＤ）等の有形のコンピュータ可読媒体を含むものとして明示的に定義される。またさらに、図２〜５の視聴者測定メータ例１１５Ａ〜Ｃ及び／又は３００、状態モニタ例１２０Ａ〜Ｃ及び／又は２００、データ処理設備例１３５は、図２〜５に図示するものに加えて、又はそれらの代わりに１つ又は複数の要素、プロセス及び／又はデバイスを含んでもよい、及び／又は図示する要素、プロセス及びデバイスの任意のものか、又はすべてのうちの複数を含んでもよい。
【００４９】
[0049]図６〜１１には、視聴者測定メータ例１１５Ａ〜Ｃ及び／又は３００、状態モニタ例１２０Ａ〜Ｃ及び／又は２００、データ処理設備例１３５、提示デバイス状態モニタ例２０５、メータ電力マネージャ例２３０、状態ロガー例２３５、ＲＴＣ例２４０、メータ状態レポータ例２５５、監視プロセッサ例３０５及び／又は４０５、電力コントローラ例３１０及び／又は４１０、メータインタロゲータ例４１５、データレシーバ例５０５、データプロセッサ例５１０及び／又はメータ故障デタミナー５１５のうちの１つ又は複数を実装するために実行されてもよい機械可読命令を表す流れ図が示されている。これらの例では、各流れ図が示す機械可読命令は、図１２とともに以下で論じられる処理システム例１２００に示すプロセッサ１２１２等のプロセッサによる実行のための１つ又は複数のプログラムを含んでもよい。代替として、図６〜１１の流れ図が示すプロセスのうちの１つ又は複数を実施する全プログラム又はプログラム（複数可）及び／又はその部分は、（例えばコントローラ及び／又は任意のその他の適切なデバイス等の）プロセッサ１２１２以外のデバイスによって実行されることが可能である、及び／又は（例えばＡＳＩＣ、ＰＬＤ、ＦＰＬＤ、個別ロジック等によって実装される等）ファームウェア又は専用ハードウェアにおいて具体化されることが可能である。また、図６〜１１の流れ図が示す機械可読命令のうちの１つ又は複数は、手動で実施されてもよい。さらに、機械可読命令の例は図６〜１１に図示する流れ図を参照して説明されるが、本明細書で説明される方法及び装置の例を実装するために多くのその他の技術が代わりに使用されてもよい。例えば、図６〜１１に図示する流れ図を参照すると、ブロックの実行順序は変更されてもよい、及び／又は説明するブロックのうちのいくつかは変更、削除、結合及び／又は多数のブロックに再分割されてもよい。
【００５０】
[0050]上述のように、図６〜１１のプロセス例は、ハードディスクドライブ、フラッシュメモリ、読み取り専用メモリ（ＲＯＭ）、ＣＤ、ＤＶＤ、キャッシュ、ランダムアクセスメモリ（ＲＡＭ）、及び／又は情報が（例えば長期間、永久的に、短いインスタンス、一時的なバッファリングのため及び／又は情報のキャッシュのため）任意の期間保存される任意のその他のストレージ媒体などの有形のコンピュータ可読媒体に保存された（例えばコンピュータ可読命令の）符号化された命令を使用して実施されてもよい。本明細書で使用する際、有形のコンピュータ可読媒体という用語語は、任意の種類のコンピュータ可読ストレージを含み、信号の伝搬を除外するものとして明示的に定義される。さらに、又は代替として、図６〜１１のプロセス例は、フラッシュメモリ、ＲＯＭ、ＣＤ、ＤＶＤ、キャッシュ、ランダムアクセスメモリ（ＲＡＭ）、及び／又は情報が（例えば長期間、永久的に、短いインスタンス、一時的なバッファリングのため及び／又は情報のキャッシュのための）任意の期間保存される任意のその他のストレージ媒体などの非一時的コンピュータ可読媒体に保存された（例えばコンピュータ可読命令の）符号化された命令を使用して実施されてもよい。本明細書で使用する際、非一時的コンピュータ可読媒体という用語は、任意の種類のコンピュータ可読媒体を含み、信号の伝搬を除外するものとして明示的に定義される。また、本明細書で使用する際、「コンピュータ可読」及び「機械可読」という用語は、特に指示がない限り、同等とみなされる。
【００５１】
[0051]図１〜２の状態モニタ１２０Ａ〜Ｃ及び／又は２００のうちの１つ又は複数で電力管理処理を実施するために実行されてもよい機械可読命令例６００は、図６に示した流れ図によって表される。便宜のため、及び一般性を失うことなく、機械可読命令６００は、図１の状態モニタ１２０Ａを実施するために図２の状態モニタ２００によって実行されるという文脈で説明される。このように、この例では、状態モニタ２００は状態モニタ１２０Ａの役割を果たし、したがってメディア提示デバイス１１０Ａ及び視聴者測定メータ１１５Ａに関連している。先の図を参照すると、図６の機械可読命令６００は、状態モニタ２００の提示デバイス状態モニタ２０５がメディア提示デバイス１１０Ａのアクティブ化状態を監視及び検出するブロック６０５で、実行を開始する。メディア提示デバイス１１０Ａがアクティブであると判定される場合（ブロック６１０）、次いでブロック６１５で、状態モニタ２００のメータ電力マネージャ２３０は、視聴者測定メータ１１５Ａを（例えば表１の状態Ｓ０の）使用可能状態に移行させるための適切なアクティブ化信号を送信することによって、視聴者測定メータ１１５Ａのアクティブ化を制御する。しかしながら、メディア提示デバイス１１０Ａが非アクティブであると判定される場合（ブロック６１０）、次いでブロック６２０で、メータ電力マネージャ２３０は、視聴者測定メータ１１５を（例えば表１の状態Ｓ３の）スリープ状態に移行させるための適切なスリープ信号を送信することによって、視聴者測定メータ１１５Ａのアクティブ化を制御する。次いで処理は、提示デバイス状態モニタ２０５がメディア提示デバイス１１０Ａのアクティブ化状態の監視を続けることを可能にするために、ブロック６０５に戻る。
【００５２】
[0052]図１、３及び４の視聴者測定メータ１１５Ａ〜Ｃ及び／又は３００のうちの１つ又は複数で電力制御処理を実施するために実行されてもよい機械可読命令例７００は、図７に示した流れ図によって表される。便宜のため、及び一般性を失うことなく、機械可読命令７００は、図１及び４の視聴者測定メータ１１５Ａによって実行されるという文脈で説明される。先の図を参照すると、図７の機械可読命令７００は、視聴者測定メータ１１５Ａの電力コントローラ４１９が状態モニタ１２０Ａから電力制御信号を受信するブロック７０５で実行を開始する。電力制御信号がアクティブ化（ウェイクアップ）信号に相当する場合（ブロック７１０）、次いでブロック７１５で、電力コントローラ４１０は視聴者測定メータ１１５Ａを（例えば、その監視プロセッサ４０５の適切な設定によって）（例えば表１の状態Ｓ０の）使用可能状態に設定する。しかしながら、電力制御信号がスリープ信号に相当する場合（ブロック７１０）、次いでブロック７２０で、電力コントローラ４１０は視聴者測定メータ１１５Ａを（例えばその監視プロセッサ４０５の適切な設定によって）（例えば表１の状態Ｓ３の）スリープ状態に設定する。次いで処理は、電力コントローラ４１０が視聴者測定メータ１１５Ａの電力制御を実行し続けることを可能にするために、ブロック７０５に戻る。
【００５３】
[0053]図１〜２の状態モニタ１２０Ａ〜Ｃ及び／又は２００のうちの１つ又は複数で状態報告を実施するために実行されてもよい機械可読命令例８００は、図８に示す流れ図によって表される。便宜のため、及び一般性を失うことなく、機械可読命令８００は、図１の状態モニタ１２０Ｂを実装するために、図２の状態モニタ２００によって実行されるという文脈で説明される。このように、この例では、状態モニタ２００は状態モニタ１２０Ｂの役割を果たし、したがってメディア提示デバイス１１０Ｂ及び視聴者測定メータ１１５Ｂに関連している。先の図を参照すると、図８の機械可読媒体８００は、状態モニタ２００の提示デバイス状態モニタ２０５及び状態ロガー２３５が、メディア提示デバイス１１０Ｂのアクティブ化状態を示す提示デバイス状態データを監視し、記録するブロック８０５で実行を開始する。いくつかの例では、ブロック８１０で、状態ロガー２３５はまた、状態モニタ２００に電力を供給する電源１４０Ｂについて監視される停電間隔（複数可）を記録する。
【００５４】
[0054]ブロック８１５で、メータ状態レポータ２５５は、状態クエリがホームユニット視聴者測定メータ１１５Ａから受信されているかどうかを判定する。状態クエリが受信されている場合（ブロック８１５）、ブロック８２０で、メータ状態レポータ２５５はブロック８０５で記録された提示デバイス状態データを処理して、（例えば最後の状態クエリから開始する現在の時間間隔に対応する）現在の問い合わせ／測定間隔の間にメディア提示デバイス１１０Ｂが非アクティブであったかどうかを判定する。メディア提示デバイス１１０Ｂがこの全間隔の間に非アクティブであった場合（ブロック８２５）、次いでブロック８３０で、メータ状態レポータ２５５は、サイトユニット視聴者測定メータ１１５Ｂによって監視されるメディア提示デバイス１１０Ｂが全問い合わせ／測定間隔の間に非アクティブであり、したがって、サイトユニット視聴者測定メータ１１５Ｂには報告すべき視聴者測定データがないという表示で状態クエリに応答する。この場合、ホームユニット視聴者測定メータ１１５Ａは、現在の問い合わせ／測定間隔についてのサイトユニット視聴者測定メータ１１５Ｂの問い合わせを省くことができる。しかしながら、メディア提示デバイス１１０Ｂが問い合わせ／測定間隔の少なくとも一部の間にアクティブであった場合（ブロック８２５）、次いでブロック８３５で、メータ状態レポータ２５５は、メディア提示デバイス１１０Ｂが問い合わせ／測定間隔の間にアクティブであり、したがって、サイトユニット視聴者測定メータ１１５Ｂは報告すべき視聴者測定データを持っている可能性があるという表示で状態クエリに応答する。この場合、ホームユニット視聴者測定メータ１１５Ａはサイトユニット視聴者測定メータ１１５Ｂの問い合わせを続けて、その現在の問い合わせ／測定間隔についての視聴者測定データを取得する。
【００５５】
[0055]図１〜４のホームユニット視聴者測定メータ１１５Ａでメータ問い合わせ処理を実施するために実行されてもよい機械可読媒体例９００は、図９に示す流れ図によって表される。便宜のため、及び一般性を失うことなく、機械可読命令９００は、図１のサイトユニット視聴者測定メータ１１５Ｂに問い合わせを行うために、ホームユニット視聴者測定メータ１１５Ａによって実行されるという文脈で説明される。先の図を参照すると、図９の機械可読命令９００は、ホームユニット視聴者測定メータ１１５Ａのメータインタロゲータ４１５が、サイトユニット視聴者測定メータ１１５Ｂに関連したサイトモニタ１２０Ｂに問い合わせて、メディア提示デバイス１１０Ｂが現在の問い合わせ／測定間隔の間にアクティブであったかどうかを判定し、又、したがって、サイトユニット視聴者測定メータ１１５Ｂが報告すべき任意の視聴者測定データを持つかどうかを判定するブロック９０５で実行を開始する。ブロック９１０で、メータインタゲータ４１５は、状態モニタ１２０Ｂから受信した応答を評価する。応答が、メディア提示デバイス１１０Ｂが全問い合わせ／測定間隔の間に非アクティブであり、又、したがって、入手できる視聴者測定データはないということを示す場合（ブロック９１０）、次いでブロック９１５でメータインタロゲータ４１５は、サイトユニット視聴者測定メータ１１５Ｂの起動及び問い合わせを（例えば実行しない）省く。いくつかの例では、処理は、メータインタロゲータ４１５がさらにサイトユニット視聴者測定メータ１１５Ｂにスリープ信号を送信し、例えばメータ１１５Ｂが他の処理を実行するために別途使用可能にされていない場合に、メータ１１５Ｂが（例えば表１の状態Ｓ３の）スリープ状態に入ることを可能にする。
【００５６】
[0056]しかしながら、応答が、メディア提示デバイス１１０Ｂが問い合わせ／測定間隔の間にアクティブであり、又、したがって、視聴者測定データが入手できる可能性があるということを示す場合（ブロック９１０）、次いでブロック９２５で、メータインタロゲータ４１５は適切な（例えばウェイクアップ信号の）アクティブ化信号を送信して、サイトユニット視聴者測定メータ１１５Ｂを（例えば表１の状態Ｓ０の）使用可能状態に移行させる。ブロック９３０で、メータインタロゲータ４１５はその後サイトユニット視聴者測定メータ１１５Ｂに問い合わせて、報告されるべき任意の視聴者測定データを取得する。視聴者測定データがサイトユニット視聴者測定メータ１１５Ｂから受信された後（ブロック９３５）、ブロック９２０でメータインタロゲータ４１５はサイトユニット視聴者測定メータ１１５Ｂにスリープ信号を送信し、例えばメータ１１５Ｂが他の処理を実行するために別途使用可能にされていない場合に、メータ１１５Ｂが（例えば表１の状態Ｓ３の）スリープ状態に入ることを可能にする。
【００５７】
[0057]図１〜４のホームユニット視聴者測定メータ１１５Ａでデータ報告を実施するために実行されてもよい機械可読命令例１０００は、図１０に示す流れ図によって表される。先の図を参照すると、図１０の機械可読命令１０００は、ホームユニット視聴者測定メータ１１５Ａのメータインタロゲータ４１５が、各サイトユニット視聴者測定メータ１１５Ａ、１１５Ｂ及び１１５Ｃによって監視される各メディア提示デバイス１１０Ａ、１１０Ｂ及び１１０Ｃのアクティブ化状態履歴を表す提示デバイス状態データについて、状態モニタ１２０Ａ、１２０Ｂ及び１２０Ｃにクエリを行うブロック１００５で実行を開始する。ブロック１０１０で、ホームユニット視聴者測定メータ１１５Ａは、適切に（例えば図９の機械可読命令例９００を使用して）、サイトユニット視聴者測定メータ１１５Ｂ及び１１５Ｃに問い合わせて、それらの各々視聴者測定データを取得する。ブロック１０１５で、ホームユニット視聴者測定メータ１１５Ａは、ホームユニット視聴者測定メータ１１５Ａ自体によって判定された視聴者測定データとともに、状態モニタ１２０Ａ〜Ｃから取得された提示デバイス状態データ及びサイトユニット視聴者測定メータ１１５Ｂ〜Ｃから取得された視聴者測定データをデータ処理設備１３５に報告する。上述のように、ブロック１０１５で報告される視聴者測定データは、（例えば各メータ１１５Ａ〜Ｃについての視聴者測定データの中の空白という形で）各視聴者測定メータ１１５Ａ〜Ｃについての停電及び／又はその他の機能停止情報を含む。
【００５８】
[0058]図１及び５のデータ処理設備１３５で故障判定処理を実施するために実行されてもよい機械可読命令例１１００は、図１１に示す流れ図によって表される。先の図を参照すると、図１１の機械可読命令１１００は、データ処理設備１３５のデータレシーバ５０５が、視聴者測定メータから取得された各視聴者測定データと、状態モニタ１２０Ａ〜Ｃから取得された各提示デバイス状態データもまた受信するブロック１１０５で実行を開始する。便宜のため、及び一般性を失うことなく、機械可読命令１１００の残りの部分は、視聴者測定メータ１１５Ａから取得された視聴者測定データの処理、及び状態モニタ１２０Ａから取得された提示デバイス状態データの処理の観点から説明される。そこで、ブロック１１００で、データ処理設備１３５のメータ故障デタミナー５１５は、視聴者測定メータ１１５Ａから取得された視聴者測定データがメータ１１５Ａに（例えば測定データの中の空白に対応する）機能停止が生じたことを示すかどうかを判定する。機能停止が生じていた場合（ブロック１１１０）、次いでメータ故障デタミナー５１５は、視聴者測定データが有効であると判定し、ブロック１１１５で、データ処理設備１３５のデータプロセッサ５１０は、視聴者測定メータ１１５Ａから取得された視聴者測定データで任意の適切な後処理を実行する。
【００５９】
[0059]しかしながら、視聴者測定データが機能停止が生じたことを示す場合（ブロック１１１０）、次いでブロック１１２０で、メータ故障デタミナー５１５は、視聴者測定データから判定された任意の機能停止間隔が、状態モニタ１２０Ａから取得された提示デバイス状態データが、メディア提示デバイス１１０Ａがアクティブであったことを示す任意の時間間隔と（少なくとも部分的に）重複するかどうかを判定する。これらの時間間隔の任意の重複が存在する場合（ブロック１１２０）、次いでブロック１１２５で、メータ故障デタミナー５１５は、視聴者測定メータ１１５Ａから取得された視聴者測定データを故障とする。しかしながら、視聴者測定データから判定された任意の機能停止時間間隔と、提示デバイス状態データから判定されたアクティブデバイス時間間隔の間意に重複が存在しない場合（ブロック１１２０）、次いでブロック１１３０で、メータ故障デタミナー５１５は、視聴者測定メータ１１５Ａから取得された視聴者測定データを故障とはしない。この場合、メータ故障デタミナー５１５は、は、視聴者測定データが有効であると判定し、処理は、データプロセッサ５１０が視聴者測定データで任意の適切な後処理を実行するブロック１１１５へ進む。
【００６０】
[0060]図１２は、本明細書で開示される装置及び方法を実装することができる処理システム例１２００のブロック図である。処理システム１２００は例えば、サーバ、パーソナルコンピュータ、携帯情報端末（ＰＤＡ）、インターネット機器、ＤＶＤプレイヤー、ＣＤプレイヤー、デジタルビデオレコーダ、パーソナルビデオレコーダ、セットトップボックス又は任意のその他の種類のコンピューティングデバイスであることが可能である。
【００６１】
[0061]簡単な例のシステム１２００は、汎用プログラムマブルプロセッサ等のプロセッサ１２１２を含む。プロセッサ１２１２はローカルメモリ１２１４を含み、ローカルメモリ１２１４及び／又はその他のメモリデバイスの中に存在する符号化された命令１２１６を実行する。プロセッサ１２１２は、特に図６〜１１に表した機械可読命令を実行してもよい。プロセッサ１２１２は、Ａｔｏｍ（商標）ファミリ、ペンティアム（Ｐｅｎｔｉｕｍ）（登録商標）ファミリ、アイテニアム（Ｉｔａｎｉｕｍ）（登録商標）ファミリ及び／又はＸＳｃａｌｅ（登録商標）ファミリに由来する１つ又は複数のインテルマイクロプロセッサ、マイクロコントローラのＡＲＭ（登録商標）ファミリ及び／又はＰＩＣ（登録商標）ファミリに由来する１つ又は複数のマイクロコントローラ等の任意の種類の処理ユニットであってもよい。当然ながら、その他のファミリに由来するその他のプロセッサもまた適している。
【００６２】
[0062]プロセッサ１２１２は、バス１２２２を介して揮発性メモリ１２１８及び不揮発性メモリ１２２０を含むメインメモリと通信する。揮発性メモリ１２１８は、スタティックランダムアクセスメモリ（ＳＲＡＭ）、同期式ダイナミックランダムアクセスメモリ（ＤＲＡＭ）、ＲＡＭＢＵＳダイナミックランダムアクセスメモリ（ＲＤＲＡＭ）及び／又は任意のその他の種類のランダムアクセスメモリデバイスによって実装されてもよい。不揮発性メモリ１２２０は、フラッシュメモリ及び／又は任意のその他の所望の種類のメモリデバイスによって実装されてもよい。メインメモリ１２１８、１２２０へのアクセスは、典型的にはメモリコントローラ（不図示）によって制御される。
【００６３】
[0063]処理システム１２００はまた、インターフェース回路１２２４も含む。インターフェース回路１２２４は、イーサネットインターフェース、ユニバーサルシリアルバス（ＵＳＢ）、及び／又は第３世代入力／出力（３ＧＩＯ）インターフェースによって実装されてもよい。
【００６４】
[0064]１つ又は複数の入力デバイス１２２６は、インターフェース回路１２２４に接続される。入力デバイス（複数可）１２２６によって、ユーザはデータ及びコマンドをプロセッサ１２１２に入力することができる。入力デバイス（複数可）は、例えばキーボード、マウス、タッチスクリーン、トラックパッド、アイソポイント（isopoint）及び／又は音声認識システムによって実装されることが可能である。
【００６５】
[0065]１つ又は複数の出力デバイス１２２８もまた、インターフェース回路１２２４に接続される。出力デバイス１２２８は、例えば（液晶ディスプレイ、ブラウン管ディスプレイ（ＣＲＴ）の）ディスプレイデバイスによって、プリンタ及び／又はスピーカによって実装されることが可能である。したがって、インターフェース回路１２２４は典型的にグラフィックドライバカードを含む。
【００６６】
[0066]インターフェース回路１２２４はまた、（例えばイーサネット接続、デジタル加入者回線（ＤＳＬ）、電話回線、同軸ケーブル、携帯電話システム等の）ネットワークを介して外部のコンピュータとのデータの交換を促進するために、モデム又はネットワークインターフェースカード等の通信デバイスも含む。
【００６７】
[0067]処理システム１２００はまた、機械可読命令及びデータを保存するための１つ又は複数のマスストレージデバイス１２３０も含む。そのようなマスストレージデバイス１２３０の例は、フロッピーディスクドライブ、ハードドライブディスク、コンパクトディスクドライブ及びデジタル多用途ディスク（ＤＶＤ）ドライブを含む。いくつかの例では、マスストレージデバイス１２３０は、状態モニタ例２２０の状態ロガー例２３５によって記録された提示デバイス状態データを保存してもよい。さらに、又は代替として、いくつかの例では揮発性メモリ１２１８は、状態ロガー例２３５によって記録された提示デバイス状態データを保存してもよい。
【００６８】
[0068]図６〜１１の符号化された命令１２３２は、マスストレージデバイス１２３０、揮発性メモリ１２１８、不揮発性メモリ１２２０、ローカルメモリ１２１４の中に、及び／又はＣＤ又はＤＶＤ１２３２等のリムーバブルストレージ媒体上に保存されてもよい。
【００６９】
[0069]図１２の処理システム等のシステムの中で、本明細書で説明する方法及び／又は装置を実装する代わりに、本明細書で説明する方法及び／又は装置は、プロセッサ及び／又はＡＳＩＣ（特定用途向け集積回路）等の構造体の中に埋め込まれてもよい。
【００７０】
[0070]最後に、本明細書ではいくつかの方法、装置及び製品の例が説明されているが、本特許の対象範囲はこれらに限定されない。反対に、本特許は文字通りに、又は均等論の下で適正に添付の特許請求の範囲に入るすべての方法、装置及び製品を対象とする。
【符号の説明】
【００７１】
１００  視聴者測定システム
１０５Ａ、１０５Ｂ、１０５Ｃ  監視対象サイト
１１０Ａ、１１０Ｂ、１１０Ｃ  メディア提示デバイス
１１５Ａ、１１５Ｂ、１１５Ｃ  視聴者測定メータ
１２０Ａ、１２０Ｂ、１２０Ｃ  状態モニタ
１２５、１３０  ネットワーク
１３５  データ処理設備
１４０Ａ  電源
１４５Ａ  回線
１５０Ａ  物理的接続
２００  状態モニタ
２０５  提示デバイス状態モニタ
２１０  電力入力
２１５  電力出力
２２０  デジタルオーディオ入力
２２５  オーディオセンサ
２３０  メータ電力マネージャ
２３５  状態ロガー
２４０  リアルタイムクロック
２４５  物理的電力制御接続
２５０  ワイヤレス電力制御接続
２５５  メータ状態レポータ
２６０  インターフェース
３００  サイトユニット視聴者測定メータ
３０５、４０５  監視プロセッサ
３１０、４１０  電力コントローラ
４１５  メータインタロゲータ
５０５  データレシーバ
５１０  データプロセッサ
５１５  メータ故障デタミナー例
６００、７００、８００、９００、１０００、１１００  機械可読命令
１２００  処理システム
１２１２  プロセッサ
１２１８  揮発性メモリ
１２２０  不揮発性メモリ
１２２２  バス
１２２４  インターフェース回路
１２２６  入力デバイス
１２２８  出力デバイス
１２３０  マスストレーイデバイス
１２３２  符号化された命令
６０５、６１０、６１５、６２０、７０５、７１０、７１５、７２０、８０５、８１０、８１５、８２０、８２５、８３０、８３５、９０５、９１０、９１５、９２０、９２５、９３０、９３５、１００５、１０１０、１０１５、１１０５、１１１０、１１１５、１１２０、１１２５、１１３０  ブロック
【図１】
2012253759.tif 000004
【図２】
2012253759.tif 000005
【図３】
2012253759.tif 000006
【図４】
2012253759.tif 000007
【図５】
2012253759.tif 000008
【図６】
2012253759.tif 000009
【図７】
2012253759.tif 000010
【図８】
2012253759.tif 000011
【図９】
2012253759.tif 000012
【図１０】
2012253759.tif 000013
【図１１】
2012253759.tif 000014
【図１２】
2012253759.tif 000015
【外国語明細書】
2012253759000001.pdf